(57)【要約】１つか複数のケーブル２、パイプまたはワイヤの密封された設置を形成するために、１つか複数のトランジット要素１０、２０、３０、４０；４２；４００を有するケーブル、パイプまたはワイヤトランジット１；１ａ…１ｎ；４００用のユーザガイダンスシステム２は、通信ネットワークに接続可能なコンピュータリソース７０と、複数のトランジットインジケータデバイス５０；５０ａ〜５０ｎ；２５０；３５０；４５０とを備える。トランジットインジケータデバイスは、各々通信ネットワークに接続可能で、各々それぞれのトランジット１ａ〜１ｎに位置する。コンピュータリソースは、許可されたユーザ４からコマンド７４を受信し、複数のトランジットインジケータデバイスのうちの１つか複数にリモート命令７６を送信する。これにより、受信側の１つか複数のトランジットインジケータデバイスに、それらが位置するそれぞれのトランジット１ａ〜１ｎでローカルユーザ３を案内するための視覚的表示を提供させる。【選択図】図５Ａ
2021528690.tif 000002
【特許請求の範囲】
【請求項１】
１つまたは複数のケーブル（２）、パイプ、またはワイヤの密封された設置を形成するための、１つまたは複数のトランジット要素（１０、２０、３０、４０；４２；４００）を有するケーブル、パイプ、またはワイヤトランジット（１；１ａ…１ｎ；４００）で、またはその内部で使用するためのトランジットインジケータデバイス（５０；５０ａ〜５０ｎ；２５０；３５０；４５０）であって、前記トランジットインジケータデバイスは、
通信ネットワーク（６０；６０ａ〜６０ｃ；６１、６１ａ〜６１ｎ、６２）への通信インターフェース（５６）と、
視覚的インジケータユニット（９０；９０ａ〜９０ｎ；２９０；３９０）と、
前記通信インターフェース（５６）および前記視覚的インジケータユニット（９０；９０ａ〜９０ｎ；２９０；３９０）と動作可能に接続されたコントローラ（５１）であって、前記コントローラ（５１）は、通信インターフェース（５６）を介して、通信ネットワーク（６０；６０ａ〜６０ｃ；６１、６１ａ〜６１ｎ、６２）からリモート命令（７６）を受信し、それに応答して前記視覚的インジケータユニット（９０；９０ａ〜９０ｎ；２９０；３９０）に、前記トランジット（１；１ａ…１ｎ）でローカルユーザ（３）を案内するための視覚的表示を提供させるように構成される、コントローラ（５１）と、
を含む、トランジットインジケータデバイス（５０；５０ａ〜５０ｎ；２５０；３５０；４５０）。
【請求項２】
前記トランジットインジケータデバイス（５０；５０ａ〜５０ｎ；２５０；３５０；４５０）は、前記視覚的インジケータユニット（９０；９０ａ〜９０ｎ；２９０；３９０）によって視覚的表示が提供されない第１のモードと、前記視覚的インジケータユニット（９０；９０ａ〜９０ｎ；２９０；３９０）によって視覚的表示が提供される第２のモードとを有し、前記コントローラ（５１）は、前記リモート命令（７６）を受信すると、前記視覚的インジケータユニット（９０；９０ａ〜９０ｎ；２９０；３９０）に、前記第１のモードから前記第２のモードへ切り替えることによって前記ローカルユーザ（３）を案内するための視覚的表示を提供させるように構成される、請求項１に記載のトランジットインジケータデバイス（５０；５０ａ〜５０ｎ；２５０；３５０；４５０）。
【請求項３】
前記トランジットインジケータデバイス（５０；５０ａ〜５０ｎ；２５０；３５０；４５０）は、前記視覚的インジケータユニット（９０；９０ａ〜９０ｎ；２９０；３９０）によって第１の視覚的表示が提供される第１のモードと、前記視覚的インジケータユニット（９０；９０ａ〜９０ｎ；２９０；３９０）によって第２の視覚的表示が提供される第２のモードとを有し、前記コントローラ（５１）は、前記リモート命令（７６）を受信すると、前記視覚的インジケータユニット（９０；９０ａ〜９０ｎ；２９０；３９０）に、前記リモート命令（７６）の内容（７８）に応じて前記第１のモードまたは前記第２のモードに入ることによって前記ローカルユーザ（３）を案内するための視覚的表示を提供させるように構成される、請求項１に記載のトランジットインジケータデバイス（５０；５０ａ〜５０ｎ；２５０；３５０；４５０）。
【請求項４】
前記視覚的インジケータユニット（９０；９０ａ〜９０ｎ；２９０；３９０）は、特定の色の光を生成することによって前記ローカルユーザ（３）を案内するための視覚的表示を提供させるように構成され、前記特定の色は青または白である、請求項１に記載のトランジットインジケータデバイス（５０；５０ａ〜５０ｎ；２５０；３５０；４５０）。
【請求項５】
前記視覚的インジケータユニット（９０；２９０；３９０）は、
複数の利用可能な色の中から特定の色の光を生成することによって前記ローカルユーザ（３）を案内するための視覚的表示を提供するように適合された多色ＬＥＤインジケータ（９２）と、
一組のＬＥＤインジケータ（９４）であって、各ＬＥＤインジケータは、それぞれの色を示すことができ、少なくとも１つのＬＥＤインジケータは、そのそれぞれの色の光を生成することによって前記ローカルユーザ（３）を案内するための視覚的表示を提供するように適合された、一組のＬＥＤインジケータ（９４）と、
ディスプレイ画面（９６）上にグラフィック情報をレンダリングすることによって前記ローカルユーザ（３）を案内するための視覚的表示を提供するように適合されたディスプレイ画面（９６）と、
のうちの１つまたは複数を含む、請求項１〜４のいずれか１項に記載のトランジットインジケータデバイス（５０；５０ａ〜５０ｎ；２５０；３５０；４５０）。
【請求項６】
前記トランジット（４００）のトランジット要素（４１０）上に取り付けるように適合されたハウジング（４５４）を含む、請求項１〜５のいずれか１項に記載のトランジットインジケータデバイス（４５０）。
【請求項７】
前記トランジットインジケータデバイス（２５０；３５０）は、前記トランジット（１；１ａ〜１ｎ）用の１つのタイプのトランジット要素（２０）と同じ一般的な形状であるか、または前記１つのタイプのトランジット要素（２０）の構成要素（２８）である、請求項１〜５のいずれか１項に記載のトランジットインジケータデバイス（２５０；３５０）。
【請求項８】
前記１つのタイプのトランジット要素は、圧縮可能モジュール（２０）であり、前記トランジットインジケータデバイス（２５０；３５０）は、前記圧縮可能モジュール（２０）と同じ一般的な形状のハウジング（２５４；３５４）を有し、前記トランジットインジケータデバイス（２５４；３５４）は、前記トランジット（１；１ａ）において前記圧縮可能モジュール（２０）の代わりに取り付けられるように適合される、請求項７に記載のトランジットインジケータデバイス（２５０；３５０）。
【請求項９】
前記１つのタイプのトランジット要素は、圧縮可能モジュール（２０）であり、前記トランジットインジケータデバイス（２５０；３５０）は、前記圧縮可能モジュール（２０）のコア（２８）と同じ一般的な形状のハウジング（２５４；３５４）を有し、前記トランジットインジケータデバイス（２５４；３５４）は、前記トランジット（１；１ａ）において前記圧縮可能モジュール（２０）の前記コア（２８）の代わりに取り付けられるように適合される、請求項７に記載のトランジットインジケータデバイス（２５０；３５０）。
【請求項１０】
前記トランジット（１；１ａ…１ｎ；４００）の前記トランジット要素（１０、２０、３０、４０；４２；４００）は、
フレーム（１０）と、
圧縮可能モジュール（２０）と、
ステープレート（３０）と、
圧縮ユニット（ウェッジ）（４０）と、
ウェッジクリップ（４２）と、
フレームと圧縮可能モジュールの組み合わせ（４００）と、
のうちの１つまたは複数である、請求項１〜９のいずれか１項に記載のトランジットインジケータデバイス（２５０；３５０）。
【請求項１１】
トランジットアイデンティティ（５４）を有し、前記コントローラ（５１）は、前記リモート命令（７６）を受信すると、前記トランジットインジケータデバイスの前記トランジットアイデンティティ（５４；Ｔ＿ＩＤ１、Ｔ＿ＩＤ２、Ｔ＿ＩＤｎ）が、受信したリモート命令（７６）のアドレス情報（７７ａ、７７ｂ、７７ｎ）に含まれているかどうかを確認し、含まれている場合は、前記視覚的インジケータユニット（９０）に、前記ローカルユーザ（３）を案内するための視覚的表示を提供させるように構成される、請求項１〜１０のいずれか１項に記載のトランジットインジケータデバイス（５０；５０ａ〜５０ｎ；２５０；３５０；４５０）。
【請求項１２】
トランジットアイデンティティ（Ｔ＿ＩＤ１、Ｔ＿ＩＤ２、Ｔ＿ＩＤｎ）を有し、前記コントローラ（５１）は、前記リモート命令（７６）を受信すると、受信した前記リモート命令（７６）にブロードキャストフラグ（ＢＣ＿Ｆｌａｇ）が設定されているかどうかを確認し、設定されている場合は、前記視覚的インジケータユニット（９０）に、前記ローカルユーザ（３）を案内するための視覚的表示を提供させるように構成される、請求項１〜１０のいずれか１項に記載のトランジットインジケータデバイス（５０；５０ａ〜５０ｎ；２５０；３５０；４５０）。
【請求項１３】
１つまたは複数のケーブル（２）、パイプ、またはワイヤの密封された設置を形成するために、１つまたは複数のトランジット要素（１０、２０、３０、４０；４２；４００）を有するタイプのケーブル、パイプ、またはワイヤトランジット（１；１ａ…１ｎ；４００）用のユーザガイダンスシステム（２）であって、前記ユーザガイダンスシステム（２）は、
通信ネットワーク（６０；６０ａ〜６０ｃ；６１、６１ａ〜６１ｎ、６２）と、
前記通信ネットワーク（６０；６０ａ〜６０ｃ；６１、６１ａ〜６１ｎ、６２）に接続可能なコンピュータリソース（７０）と、
請求項１〜１２のいずれか１項に記載の複数のトランジットインジケータデバイス（５０；５０ａ〜５０ｎ；２５０；３５０；４５０）であって、各々が前記通信ネットワーク（６０；６０ａ〜６０ｃ；６１、６１ａ〜６１ｎ、６２）に接続可能であり、各々がそれぞれのトランジット（１ａ〜１ｎ）にまたはその内部に位置する、複数のトランジットインジケータデバイス（５０；５０ａ〜５０ｎ；２５０；３５０；４５０）と、
を含み、
前記コンピュータリソース（７０）は、
許可されたユーザ（４）からコマンド（７４）を受信し、
それに応答して、前記通信ネットワーク（６０；６０ａ〜６０ｃ；６１、６１ａ〜６１ｎ、６２）を介して前記複数のトランジットインジケータデバイス（５０；５０ａ〜５０ｎ；２５０；３５０；４５０）のうちの１つまたは複数のトランジットインジケータデバイス（５０；５０ａ〜５０ｎ；２５０；３５０；４５０）にリモート命令（７６）を送信し、それにより、前記１つまたは複数のトランジットインジケータデバイス（５０；５０ａ〜５０ｎ；２５０；３５０；４５０）に、前記１つまたは複数のトランジットインジケータデバイス（５０；５０ａ〜５０ｎ；２５０；３５０；４５０）が位置するそれぞれのトランジット（１ａ〜１ｎ）でローカルユーザ（３）を案内するための視覚的表示を提供させる、
ように構成される、ユーザガイダンスシステム（２）。
【請求項１４】
前記リモート命令（７６）は、特定のトランジット（１ａ）で特定のトランジットインジケータデバイス（５０ａ）によって選択的な視覚的表示を引き起こすように適合される、請求項１３に記載のユーザガイダンスシステム（２）。
【請求項１５】
前記選択的な視覚的表示は、前記特定のトランジット（１ａ）で前記特定のトランジットインジケータデバイス（５０ａ）によってのみ提供され、他の任意のトランジット（１ｂ〜１ｎ）で他の任意のトランジットインジケータデバイス（５０ｂ〜５０ｎ）によっては提供されない、請求項１４に記載のユーザガイダンスシステム（２）。
【請求項１６】
前記選択的な視覚的表示は、前記ローカルユーザ（３）が、設置、サービス、修理、保守、アップグレード、または検査のための正しい特定のトランジット（１ａ）を見つけるのを容易にするのに役立つ、請求項１４または１５に記載のユーザガイダンスシステム（２）。
【請求項１７】
前記リモート命令（７６）は、前記トランジットのサブセット（１ａ〜１ｂ）で前記トランジットインジケータデバイスのサブセット（５０ａ〜５０ｂ）によって選択的な視覚的表示を引き起こすように適合される、請求項１３に記載のユーザガイダンスシステム（２）。
【請求項１８】
トランジットインジケータデバイスのサブセット（５０ａ〜５０ｂ）による選択的な視覚的表示は、ローカルユーザ（３）がトランジットのサブセット（１ａ〜１ｂ）のトランジット間でケーブル（２）、パイプ、またはワイヤを配設する方法を知るのを容易にするのに役立つ、請求項１７に記載のユーザガイダンスシステム（２）。
【請求項１９】
前記リモート命令（７６）は、すべてのトランジット（１ａ〜１ｎ）ですべてのトランジットインジケータデバイス（５０ａ〜５０ｎ）によって視覚的表示を引き起こすように適合される、請求項１３に記載のユーザガイダンスシステム（２）。
【請求項２０】
前記リモート命令（７６）は、同じサイト（６）でトランジット（１ａ、１ｂ）にまたはその内部に位置する、ならびに前記同じサイト（６）とは別のサイト（６’）でトランジット（１ｎ）にまたはその内部に位置する、個々のトランジットインジケータユニット（５０ａ、５０ｂ、５０ｎ）にアドレス可能である、請求項１３に記載のユーザガイダンスシステム（２）。
【請求項２１】
前記リモート命令（７６）は、前記リモート命令（７６）が対象とする可変数の個々のトランジットインジケータユニット（５０ａ、５０ｂ、５０ｎ）を示すためのアドレス情報（７７ａ、７７ｂ、７７ｎ）を含む、請求項１３または２０に記載のユーザガイダンスシステム（２）。
【請求項２２】
前記リモート命令（７６）における前記アドレス情報（７７ａ、７７ｂ、７７ｎ）は、前記リモート命令（７６）が対象とする個々のトランジットインジケータユニット（５０ａ、５０ｂ、５０ｎ）ごとにそれぞれのトランジットアイデンティティ（Ｔ＿ＩＤ１、Ｔ＿ＩＤ２、Ｔ＿ＩＤｎ）を含む、請求項２１に記載のユーザガイダンスシステム（２）。
【請求項２３】
前記リモート命令（７６）は、前記リモート命令（７６）がすべての受信するトランジットインジケータデバイス（５０ａ〜５０ｎ）を対象とすることを示すためのブロードキャストフラグ（ＢＣフラグ）を含む、請求項１３に記載のユーザガイダンスシステム（２）。
【請求項２４】
前記コンピュータリソース（７０）は、前記ユーザガイダンスシステムの前記トランジットインジケータデバイス（５０ａ〜５０ｎ）の現在の視覚的表示を表すデータをメモリ（７２）内にデータ構造（７５）で格納するように構成され、
前記コンピュータリソース（７０）は、コンピュータリソース（７０）が許可されたユーザ（４）から、または別の許可されたユーザから、１つまたは複数のトランジットインジケータデバイス（５０ａ〜５０ｎ）を対象とするコマンド（７４）を受信するにつれて、前記コマンド（７４）によって定義されるように前記１つまたは複数のトランジットインジケータデバイス（５０ａ〜５０ｎ）によって提供される視覚的表示の変化を反映するように、前記データ構造（７５）を更新するように構成される、
請求項１３〜２３のいずれか１項に記載のユーザガイダンスシステム（２）。
【請求項２５】
コンピュータリソース（７０）は、
前記ユーザガイダンスシステムのコンピュータユーザ（５）から、前記ユーザガイダンスシステムの１つまたは複数のトランジットインジケータデバイス（５０ａ〜５０ｎ）に関するクエリを受信し、
前記メモリ（７２）内の前記データ構造（７５）から、照会された１つまたは複数のトランジットインジケータデバイス（５０ａ〜５０ｎ）の現在の視覚的表示を表すデータを検索し、
検索されたデータの全部または一部を含むか、または検索されたデータの全部または一部から導出される応答情報を用いて、前記コンピュータユーザ（５）に応答する、
ようにさらに構成される、請求項２４に記載のユーザガイダンスシステム（２）。
【請求項２６】
１つまたは複数のケーブル（２）、パイプ、またはワイヤの密封された設置を形成するために、１つまたは複数のトランジット要素（１０、２０、３０、４０；４２；４００）を有するケーブル、パイプ、またはワイヤトランジット（１；１ａ…１ｎ；４００）でローカルユーザ（３）を案内する方法（５００）であって、前記方法（５００）は、
コンピュータリソース（７０）が、許可されたユーザ（４）からコマンド（７４）を受信する（５１０）ことと、
前記コンピュータリソース（７０）が応答して、前記トランジット（１；１ａ…１ｎ；４００）にまたはその内部に位置するトランジットインジケータデバイス（５０；５０ａ〜５０ｎ；２５０；３５０；４５０）に、通信ネットワーク（６０；６０ａ〜６０ｃ；６１、６１ａ〜６１ｎ、６２）を介してリモート命令（７６）を送信する（５２０）ことと、
前記トランジットインジケータデバイス（５０；５０ａ〜５０ｎ；２５０；３５０；４５０）が、前記トランジット（１；１ａ…１ｎ；４００）で前記ローカルユーザ（３）を案内するための視覚的表示を提供する（５３０）ことと、
を含む、方法（５００）。
【発明の詳細な説明】
【技術分野】
【０００１】
本発明は、一般に、ケーブル、パイプ、またはワイヤの密封された設置の分野、より具体的には、そのようなトランジットでローカルユーザを案内するための機器に関する。さらにより具体的には、本発明は、ケーブル、パイプ、またはワイヤトランジットでまたはその内部で使用するためのトランジットインジケータデバイスと、それぞれのトランジットにまたはその内部に位置する複数のトランジットインジケータデバイスを含むケーブル、パイプ、またはワイヤトランジットのためのユーザガイダンスシステムと、トランジット内で、ケーブル、パイプ、またはワイヤトランジットでローカルユーザをガイドする方法と、に関する。
【背景技術】
【０００２】
ケーブル、パイプ、またはワイヤの密封された設置は、キャビネット、テクニカルシェルター、ジャンクションボックス、機械など、さまざまな環境で一般的に使用される。これらは、自動車、通信、発電および配電、さらには海洋およびオフショアなど、さまざまな業界で使用されている。密封された設備は、流体、ガス、火、げっ歯類、シロアリ、ほこり、湿気などに対して効果的に密封するのに役立ち、電気、通信、コンピュータなどのケーブル、水、圧縮空気、油圧作動油および調理ガスなどのさまざまなガスまたは液体用のパイプ、および負荷保持用のワイヤ、を含み得る。
【０００３】
本出願人は、密封を目的としたケーブル、パイプ、またはワイヤトランジットの開発における世界的なリーダーである。リードスルーとも呼ばれ得るトランジットは、１つまたは複数のトランジット要素、通常は複数の異なるトランジット要素で構成され、サイトに設置すると、１つまたは複数のケーブル、パイプ、またはワイヤの密封された設置に組み立てられる。。一般的に使用されるトランジットタイプの１つは、基本的に長方形のフレームで、その内部にケーブル、パイプ、またはワイヤを受け入れるための多数のモジュールが配置されている。モジュールは、ゴムやプラスチックなどの弾性材料でできているため、圧縮可能であり、さらにケーブル、パイプ、またはワイヤのさまざまな外径に適応できる。モジュールは通常、ある種の圧縮ユニットとともに１つまたは複数の列に並べて配置される。圧縮ユニットは、圧縮ユニットが拡張されたときに、圧縮可能モジュールがケーブル、ワイヤ、またはパイプの周りで圧縮されるように、フレームとモジュールとの間に配置される。説明を容易にするために、「ケーブル」という用語は、本明細書では主に使用されるが、広義に解釈されるべきであり、当業者は、それが通常パイプまたはワイヤもカバーするか、またはそれらと同等であることを理解する。
【０００４】
別のタイプのトランジットは、本質的に円筒形であり、壁または壁の開口部のパイプスリーブとしても知られるスリーブで受け取られる。所望の方法で機能するために、トランジットは、スリーブまたはそれが受け取られる壁の開口部にぴったりとはまるように適合され、トランジットは、実際の取り付け寸法に適合可能である。取り付け寸法は、スリーブまたは開口部の内径によって決まる。トランジットには円筒形の圧縮可能ボディがあり、圧縮可能ボディの両端にある継手間で軸方向に圧縮されている。軸方向の圧縮により、円筒形のボディは内側と外側の両方で半径方向に拡張する。さらに、受け取ったケーブルは異なる外径を有する可能性があり、したがって、モジュールは、異なる外径を有するケーブルに適応可能である。
【０００５】
一部の設計では、フレームと圧縮可能モジュールの組み合わせが、トランジットの唯一の単一のトランジット要素を構成する場合があり、したがって、事実上、トランジット自体を構成する。当業者はそれ自体をよく知っているように、他のタイプのトランジットも技術分野で知られている。
【０００６】
ローカルユーザは、さまざまな機会にさまざまな目的でトランジットに現れる場合がある。もちろん、技術的に資格のあるローカルユーザ（またはそのようなユーザのチーム）は、トランジット要素とそれを通るケーブルの実際の設置中にトランジットに現れる。時間の経過とともに、ローカルユーザ（またはそのようなユーザのチーム）は、サービス、修理、またはアップグレードが必要になったとき、またはメンテナンスや検査が必要なときに、トランジットに現れることがある。
【０００７】
通常、１つのサイトまたはさまざまなサイトに多数のトランジットがあるため、ローカルユーザが適切なトランジットを見つけるのは必ずしも簡単ではない。本発明者らは、この明細書の以下の部分の読者に現れるこの理由および他の理由のために、サイトまたは異なるサイトの異なるトランジットでのローカルユーザガイダンスの必要性があることを認識した。
【発明の概要】
【発明が解決しようとする課題】
【０００８】
したがって、ローカルユーザガイダンスに関しては、ケーブル、パイプ、またはワイヤトランジットの分野での１つまたは複数の改良を提供することが本発明の目的である。。
【課題を解決するための手段】
【０００９】
したがって、本発明の第１の態様は、１つまたは複数のケーブル、パイプ、またはワイヤの密封された設置を形成するための、１つまたは複数のトランジット要素を有するケーブル、パイプ、またはワイヤトランジットでまたはその内部で使用するためのトランジットインジケータデバイスである。トランジットインジケータデバイスは、通信ネットワークへの通信インターフェースと、視覚的インジケータユニットとを備える。
【００１０】
トランジットインジケータデバイスはまた、通信インターフェースおよび視覚インジケータユニットと動作可能に接続されたコントローラを備える。コントローラは、通信インターフェースを介して通信ネットワークからリモート命令を受信し、それに応答して視覚的インジケータユニットに、トランジットでローカルユーザ（またはそのようなユーザのチーム）を案内するための視覚的表示を提供させるように構成される。
【００１１】
異なる実施形態では、視覚インジケータユニットは、例えば、複数の利用可能な色の中から特定の色の光を生成することによってローカルユーザを案内するための視覚的表示を提供するように適合された多色ＬＥＤインジケータを含み得る。あるいは、視覚的インジケータユニットは、例えば、一組のＬＥＤインジケータを含み得、各ＬＥＤインジケータは、それぞれの色を示すことができ、少なくとも１つのＬＥＤインジケータは、そのそれぞれの色の光を生成することによってローカルユーザを案内するための視覚的表示を提供するように適合される。あるいは、視覚的インジケータユニットは、例えば、ディスプレイ画面上にグラフィック情報をレンダリングすることによってローカルユーザを案内するための視覚的表示を提供するように適合されたディスプレイ画面を備え得る。
【００１２】
トランジットインジケータデバイスの追加機能、その構成要素ならびにその機能は、詳細な説明部分で説明され、図面に示されている。
【００１３】
本発明の第２の態様は、１つまたは複数のケーブル、パイプ、またはワイヤの密封された設置を形成するために、１つまたは複数のトランジット要素を有するタイプのケーブル、パイプ、またはワイヤトランジット用のユーザガイダンスシステムである。ユーザガイダンスシステムは、通信ネットワークと、通信ネットワークに接続可能なコンピュータリソースとを備える。ユーザガイダンスシステムは、本発明の第１の態様による複数のトランジットインジケータデバイスをさらに備える。各トランジットインジケータデバイスは、通信ネットワークに接続可能であり、それぞれのトランジットにまたはその内部に位置する。
【００１４】
ユーザガイダンスシステムのコンピュータリソースは、許可されたユーザからコマンドを受信し、それに応答して、通信ネットワークを介して複数のトランジットインジケータデバイスのうちの１つまたは複数にリモート命令を送信するように構成される。これにより、前記１つまたは複数のトランジットインジケータデバイスに、前記１つまたは複数のトランジットインジケータデバイスが位置するそれぞれのトランジットでローカルユーザ（またはそのようなユーザのチーム）を案内するための視覚的表示を提供させる。
【００１５】
ユーザガイダンスシステムは、さまざまな目的に使用できる。例えば、リモート命令は、特定のトランジットで特定のトランジットインジケータデバイスによって選択的な視覚的表示を引き起こすように適合され得、好ましくは、選択的な視覚的表示は、特定のトランジットで特定のトランジットインジケータデバイスによってのみ提供され、他の任意のトランジットで他の任意のトランジットインジケータデバイスによっては提供されない。そのような選択的な視覚的表示は、例えば、ローカルユーザが、設置、サービス、修理、保守、アップグレードまたは検査のための正しい特定のトランジットを見つけるのを容易にするために使用され得る。
【００１６】
別の考えられる目的は、ローカルユーザがトランジットのグループを共通の何かを持っているものとして関連付けるのを助け得る。したがって、リモート命令は、トランジットのサブセットでトランジットインジケータデバイスのサブセットによって選択的な視覚的表示を引き起こすように適合させ得る。トランジットインジケータデバイスのサブセットによるそのような選択的な視覚的表示は、例えば、ローカルユーザがトランジットのサブセット内のトランジット間でケーブル、パイプ、またはワイヤを配設する方法を知るのを容易にするために使用され得る。また、ローカルユーザが、設置、サービス、修理、保守、アップグレードまたは検査を共通に必要とするトランジットの正しいグループを見つけやすくするためにも使用され得る。
【００１７】
さらに別の可能な目的は、システム内のすべてのトランジットで同時に視覚的な表示を行うことであり得る。この目的のために、リモート命令は、すべてのトランジットですべてのトランジットインジケータデバイスによって視覚的表示を引き起こすように適合させ得る。この理由の１つは、緊急時にアラートを提供すること、またはすべてのトランジットに突然注意を払う必要があることを示すことである。
【００１８】
第２の態様によるユーザガイダンスシステム内の各トランジットインジケータデバイスは、第１の態様によるトランジットインジケータデバイスについて本明細書に記載されている機能のいずれかまたはすべてを有することができる。
【００１９】
本発明の第３の態様は、１つまたは複数のケーブル、パイプ、またはワイヤの密封された設置を形成するために、１つまたは複数のトランジット要素を有するケーブル、パイプ、またはワイヤトランジットでローカルユーザを案内する方法である。この方法は、以下のステップを含む。
【００２０】
コンピュータリソースが、許可されたユーザからコマンドを受信する。コンピュータリソースが応答して、トランジットにまたはその内部に位置するトランジットインジケータデバイスに、通信ネットワークを介してリモート命令を送信する。次に、トランジットインジケータデバイスが、トランジットでローカルユーザ（またはそのようなユーザのチーム）を案内するための視覚的表示を提供する。
【００２１】
第３の態様による方法は、第１の態様によるトランジットインジケータデバイス、および／または第２の態様によるユーザガイダンスシステムについて、本明細書に記載されている機能的特徴のいずれかまたはすべてを有し得る。
【００２２】
本発明およびその実施形態のさらに他の態様および特徴は、添付の特許請求の範囲によって定義され、解決された課題および得られた利点とともに、詳細な説明部分および図面でさらに説明される。
【００２３】
本明細書で使用される場合の「含む／含む」という用語は、記載された特徴、整数、ステップ、または構成要素の存在を指定するために解釈されるが、１つまたは複数の他の特徴、整数、ステップ、構成要素、またはそれらのグループの存在または追加を排除するものではないことを強調すべきである。特許請求の範囲で使用されるすべての用語は、本明細書で別段の定めがない限り、技術分野におけるそれらの通常の意味に従って解釈されるべきである。「１／１つ／その［要素、デバイス、構成要素、手段、ステップなど］」へのすべての言及は、要素、デバイス、構成要素、手段、ステップなどの少なくとも１つのインスタンスを指すものとして公然と解釈される。特に明記されていない限り、本明細書に開示される任意の方法のステップは、明示的に述べられない限り、開示される正確な順序で実行される必要はない。
【００２４】
本発明の実施形態の目的、特徴および利点は、添付図面を参照しながら、以下の詳細な説明から明らかになるであろう。
【図面の簡単な説明】
【００２５】
【図１】図１は、サイトに設置されると、複数のケーブルの密封された設置に組み立てられた、複数の異なるトランジット要素を含むトランジットの概略等角図である。
【図２Ａ】図２Ａは、本質的に長方形のフレームの形態の第１のタイプのトランジット要素の概略等角図である。
【図２Ｂ】図２Ｂは、圧縮可能モジュールの形態の第２のタイプのトランジット要素の概略等角図である。
【図２Ｃ】図２Ｃは、ステープレートの形態の第３のタイプのトランジット要素の概略等角図である。
【図２Ｄ】図２Ｄは、ウェッジまたは圧縮ユニットの形態の第４のタイプのトランジット要素の概略等角図である。
【図２Ｅ】図２Ｅは、ウェッジクリップの形態の第５のタイプのトランジット要素の概略等角図である。
【図３】図３は、より複雑なトランジットの概略等角図である。
【図４】図４は、一実施形態によるトランジットインジケータデバイスの概略ブロック図である。
【図５Ａ】図５Ａは、実施形態によるケーブル、パイプ、またはワイヤトランジットのためのユーザガイダンスシステムの概略図である。
【図５Ｂ】図５Ｂは、実施形態によるケーブル、パイプ、またはワイヤトランジットのためのユーザガイダンスシステムの概略図である。
【図５Ｃ】図５Ｃは、実施形態によるケーブル、パイプ、またはワイヤトランジットのためのユーザガイダンスシステムの概略図である。
【図６】図６は、一実施形態によるリモート命令の構成の概略図である。
【図７Ａ】図７Ａは、例示的な使用例を示す。
【図７Ｂ】図７Ｂは、例示的な使用例を示す。
【図８Ａ】図８Ａは、一実施形態によるトランジットインジケータデバイスの概略等角図である。
【図８Ｂ】図８Ｂは、一実施形態によるトランジットインジケータデバイスの概略側面図である。
【図８Ｃ】図８Ｃは、一実施形態によるトランジットインジケータデバイスの概略正面図である。
【図９Ａ】図９Ａは、別の実施形態によるトランジットインジケータデバイスの概略等角図である。
【図９Ｂ】図９Ｂは、別の実施形態によるトランジットインジケータデバイスの概略側面図である。
【図９Ｃ】図９Ｃは、別の実施形態によるトランジットインジケータデバイスの概略正面図である。
【図１０Ａ】図１０Ａは、さらに別の実施形態によるトランジットインジケータデバイスの概略等角図である。
【図１０Ｂ】図１０Ｂは、さらに別の実施形態によるトランジットインジケータデバイスの概略等角図である。
【図１０Ｃ】図１０Ｃは、さらに別の実施形態によるトランジットインジケータデバイスの概略等角図である。
【図１１】図１１は、本発明による方法を示す概略フローチャート図である。
【発明を実施するための形態】
【００２６】
次に、添付図面を参照して、本発明の実施形態について説明する。しかしながら、本発明は、多くの異なる形態で具体化することができ、本明細書に記載の実施形態に限定されると解釈されるべきではない。むしろ、これらの実施形態は、本開示が徹底的かつ完全であり、本発明の範囲を当業者に完全に伝えるように提供される。添付図面に示されている特定の実施形態の詳細な説明で使用されている用語は、本発明を限定することを意図するものではない。図面では、同様の番号は同様の要素を指す。
【００２７】
図１は、リードスルーとしても知られるトランジット１を概略的に示しており、複数の異なるトランジット要素１０、２０、３０、４０、４２を含み、サイトに設置すると、複数のケーブル２の密封された設置に組み立てられる。一般に、トランジットを構成するトランジット要素は、実装に応じて、さまざまなタイプであり得、単一のインスタンスまたは複数のインスタンスとして存在し得る。
【００２８】
図１に見られるように、トランジット１はフレーム１０を含み、その中に複数の圧縮可能モジュールが異なるサイズおよび数で配置されている（図１では圧縮可能モジュールのうちの３つのみが２０１、２０２および２０３として示されている）。トランジット１のフレーム１０は、パッキング、シーリング、または溶接ジョイント１２によって取り付けられる。
【００２９】
圧縮可能モジュール２０が図２Ｂに示されている。圧縮可能モジュール２０は、２つの半部２２、２４に分割された箱型の本体を有する。弾性材料のいくつかの層２６は、中心コア２８の周りの本体２２、２４内に同心円状に配置されている。設置時にコア２８を取り外し、適切な数の層２６を剥がすことにより、圧縮可能モジュール２０は、異なる直径のケーブル間でケーブル２をしっかりと係合するように適合させ得る。図１に見られる例では、２つのケーブル２のみが２つのそれぞれのモジュール２０に取り付けられている。図１のモジュール２０の残りの部分は、現在ケーブルのリードスルーに使用されていないため、それぞれのコア２８が所定の位置にある。
【００３０】
図１から明らかなように、（メイン）トランジット要素タイプ（圧縮可能モジュール２０など）は、例えばサイズによって区別されるなど、さまざまな（サブ）タイプで表示される場合がある（図１のモジュール２０２および２０３参照）。
【００３１】
図２Ｃは、図１に見られるように、フレーム１０内の圧縮可能モジュール２０の異なる列を分離するために使用される、ステープレート３０の形態の第３のタイプのトランジット要素を示す。
【００３２】
図２Ｄは、ウェッジまたは圧縮ユニット４０の形態の第４のタイプのトランジット要素を示す。ウェッジクリップ４２の形態の第５のタイプのトランジット要素が図２Ｅに見られる。圧縮ユニット４０は、フレーム１０とモジュール２０との間に配置され、圧縮ユニットが拡張されると、圧縮可能モジュールがケーブル２の周りで圧縮され、密封された設置が達成される。圧縮ユニットが十分に拡張されると、その締め付け部材（ボルトまたはねじ）４１は、ウェッジクリップ４２がそれらに取り付けられるのに十分遠くまで突出する。したがって、ウェッジクリップ４２が取り付けられているときは、圧縮ユニットが十分に拡張されていることを示す。代替的または追加的に、ウェッジクリップ４２は、圧縮ユニット４０の偶発的な緩み（非膨張）を防止するのに役立ち得る。
【００３３】
問題の設置場所での性質と実装要件に応じて、さまざまなトランジットのサイズと複雑さが大幅に異なる場合があることに注意されたい。図３は、より複雑なトランジット１’の例を示す。
【００３４】
この明細書の背景技術で前述したように、１つ以上のサイトで運用されている１つ以上のトランジットでローカルユーザガイダンスが一般的に必要である。この目的のために、そして本発明にしたがって、トランジットインジケータデバイスならびにユーザガイダンスシステムが、残りの図面を参照して説明される様々な実施形態で提供される。トランジットインジケータデバイスの実施形態は、図面では５０、５０ａ〜５０ｎ、２５０、３５０、４５０として示されているが、ユーザガイダンスシステムは２として示されている。
【００３５】
ユーザガイダンスシステム２から始めて、その一実施形態を図５Ａに示す。ユーザガイダンスシステム２は、１つまたは複数のケーブル２、パイプまたはワイヤの密封された設置を形成するための１つまたは複数のトランジット要素を有するタイプのケーブル、パイプまたはワイヤトランジット１ａ…１ｎ用である。そのようなトランジット要素は、例えば、図１および図２Ａ〜図２Ｅのトランジット要素１０、２０、３０、４０および４２のいずれかまたはすべて、または、例えば、より詳細に説明されるフレームおよび圧縮可能モジュール４００の組み合わせであり得る。図１０Ａ〜図１０Ｃを参照して詳細を確認されたい。
【００３６】
ユーザガイダンスシステム２は、一般に６０として示される通信ネットワークと、通信ネットワーク６０に接続可能なコンピュータリソース７０とを備える。ユーザガイダンスシステム２は、複数のトランジットインジケータデバイス５０ａ〜５０ｎをさらに含み、各々が通信ネットワーク６０（またはその部品または拡張）に接続可能であり、各々がそれぞれのトランジット１ａ〜１ｎレーンにまたはその中に配置されている。図５Ａのトランジット１ａと１ｂに見られるように、トランジットのいくつかは、例えば、同じサイト６に配置されている場合がある。図５Ａのトランジット１ｎで見られるように、他のものはサイト６の外側（つまり別のサイト）に配置できる。
【００３７】
コンピュータリソース７０およびトランジットインジケータデバイス５０ａ〜５０ｎは、通信ネットワーク６０、またはその部品または拡張によって動作可能に接続されている。このような部品または拡張は、この明細書では６０ａ〜６０ｃ、６１、６１ａ〜６１ｎおよび６２として示されている。通信ネットワーク６０およびその部品または拡張６０ａ〜６０ｃ、６１、６１ａ〜６１ｎおよび６２は、モバイル通信ネットワーク（例えば、（限定されないが）ＧＳＭ、ＵＭＴＳ、ＬＴＥ、ＬＴＥ＋、ＬＴＥ  Ａｄｖａｎｃｅｄ、Ｄ−ＡＭＰＳ、ＣＤＭＡ２０００、ＦＯＭＡ、およびＴＤ−ＳＣＤＭＡなどの市販のモバイル通信規格に準拠する）、広域データネットワーク（インターネットまたはその一部の形式のＩＰベースのデータネットワークなど）、ローカルエリアネットワーク（ＷｉＦｉ／ＷＬＡＮ、ブルートゥース、ＬＡＮネットワークなど）、産業用データバス（ＡＳＩ、ＣＡＮｂｕｓ、ＰｒｏｆｉＢｕｓまたはＭｏｄｂｕｓなど）、または低周波無線データ通信技術（ＬｏＲａなど）、その任意の組み合わせを含む、であり得る。図５Ａに見られるように、一実施形態では、トランジットインジケータデバイス５０ａ〜５０ｎは、無線リンク６１ａ〜６１ｎを介してローカルエリアネットワーク６０ａ、６０ｃに接続し、一方、コンピュータリソース７０は、ローカルエリアネットワーク６０ａ、６０ｃが順番に接続されるワイドエリアネットワーク６０ｂに接続する。あるいは、図５Ａにも見られるように、すべてのデバイスは、例えば、インターネットまたはその一部である１つの共通の広域ネットワーク６０に接続され得る。
【００３８】
コンピュータリソース７０は、例えば、サーバーコンピュータ、ワークステーションコンピュータ、パーソナルコンピュータまたはラップトップコンピュータとして実装され得、オペレーティングシステムを有し、本明細書に記載された機能を実行するように適切にプログラムされ、またはそのようなコンピュータデバイスのクラスタとして、またはクラウドコンピューティングサービスとして実装され得る。コンピュータリソース７０は、もちろんそれ自体が当業者に完全によく知られているように、関連するメモリまたはストレージ７２を有することができる。
【００３９】
コンピュータリソース７０は、許可されたユーザ４からコマンド７４を受信するように構成される。いくつかの実装形態では、許可されたユーザ４は、コマンド７４をコンピュータリソース７０に直接送信することができる。他の実装形態では、特にコンピュータリソース７０がサーバコンピュータリソースまたはクラウドコンピュータリソースなどの共有コンピュータリソースである場合、許可されたユーザ４は、コンピュータデバイスを介してコマンド７４をコンピュータリソース７０に送信することができる。そのようなコンピュータデバイスは、図５Ｂの４ａに見ることができ、例えば、パーソナルコンピュータ、ラップトップコンピュータ、ワークステーション、モバイル端末、またはタブレットコンピュータであり得る。
【００４０】
送信されたコマンド７４の受信に応答して、コンピュータリソース７０は、通信ネットワーク６０、６０ａ〜６０ｃ、６１、６１ａ〜６１ｎおよび６２を介して複数のトランジットインジケータデバイス５０ａ〜５０ｎのうちの１つまたは複数にリモート命令７６を送信するように構成され、それにより、前記１つまたは複数のトランジットインジケータデバイス５０ａ〜５０ｎに、前記１つまたは複数のトランジットインジケータデバイス５０ａ〜５０が配置されているそれぞれのトランジット１ａ〜１ｎでローカルユーザ３を案内するための視覚的表示を提供させる。この目的のために、各トランジットインジケータデバイス５０ａ〜５０ｎは、視覚インジケータユニット９０ａ〜９０ｎを有する。
【００４１】
図４に見られるように、トランジットインジケータデバイス５０（図４のトランジットインジケータデバイス５０ａ〜５０ｎの１つであり得る）は、トランジットインジケータデバイス５０の全体的な動作を処理するコントローラ５１を備える。トランジットインジケータデバイス５０はまた、メモリ５３、バッテリ５５または他の電源、および通信ネットワーク６０、６０ａ〜６０ｃ、６１、６１ａ〜６１ｎ、６２への通信インターフェース５６を備える。
【００４２】
さらに、トランジットインジケータデバイス５０は、ステータスインジケータユニット９０を備える。コントローラ５１は、通信インターフェース５６および視覚的インジケータユニット９０と動作可能に接続されている。コントローラ５１は、通信インターフェース５６を介して、通信ネットワーク６０、６０ａ〜６０ｃ、６１、６１ａ〜６１ｎ、６２からリモート命令７６を受信するように構成され、そしてそれに応答して、視覚的インジケータユニット９０に、トランジットインジケータデバイス５０が配置されているトランジット１でローカルユーザ３を案内するための視覚的表示を提供させる。
【００４３】
いくつかの実装形態では、トランジットインジケータデバイス５０、５０ａ〜５０ｎのステータスインジケータユニット９０は、複数の利用可能な色の中から特定の色の光を生成することによってローカルユーザ３を案内するための視覚的表示を提供するように適合された少なくとも１つの多色ＬＥＤインジケータ９２を備える。いくつかの実装形態では、トランジットインジケータデバイス５０、５０ａ〜５０ｎのステータスインジケータユニット９０は、一組のＬＥＤインジケータ９４を含み、各ＬＥＤインジケータは、それぞれの色を示すことができ、少なくとも１つのＬＥＤインジケータは、それぞれの色の光を生成することによってローカルユーザ３を案内するための視覚的表示を提供するように適合されている。いくつかの実装形態では、トランジットインジケータデバイス５０、５０ａ〜５０ｎのステータスインジケータユニット９０は、ディスプレイ画面９４上にグラフィック情報をレンダリングすることによってローカルユーザ３を案内するための視覚的表示を提供するように適合されたディスプレイ画面９６を備える。トランジットインジケータデバイス５０のステータスインジケータユニット９０が、少なくとも１つの多色ＬＥＤインジケータ９２、および／またはＬＥＤインジケータのセット９４、および／またはディスプレイ画面９６を含む場合、組み合わせも可能である。
【００４４】
いくつかの実施形態では、トランジットインジケータデバイス５０、５０ａ〜５０ｎは、視覚的インジケータユニット９０、９０ａ〜９０ｎによって視覚的表示が提供されない第１のモード、および視覚的インジケータユニット９０、９０ａ〜９０ｎによって視覚的表示が提供される第２のモードを有する。コントローラ５１は、許可されたユーザ４によってコマンド７４に応答して生成されたリモート命令７６を受信すると、視覚的インジケータユニット９０、９０ａ〜９０ｎに、第１のモードから第２のモードに切り替えることによってローカルユーザ３を案内するための視覚的表示を提供させるように構成される。視覚的表示が提供されない第１のモードは、通常、視覚的インジケータユニット９０、９０ａ〜９０ｎ（例えば、多色ＬＥＤインジケータ９２またはＬＥＤインジケータ９４）のインジケータがオフにされた状態であり得る。第２のモードは、通常、インジケータが駆動されて特定の色の光を生成する状態であり得る。
【００４５】
いくつかの実施形態では、トランジットインジケータデバイス５０、５０ａ〜５０ｎは、視覚的インジケータユニット９０、９０ａ〜９０ｎによって第１の視覚的表示が提供される第１のモード、および視覚的インジケータユニット９０、９０ａ〜９０ｎによって第２の視覚的表示が提供される第２のモードを有する。コントローラ５１は、リモート命令７６を受信すると、視覚的インジケータユニット９０、９０ａ〜９０ｎに、リモート命令７６の内容７８に応じて、第１のモードまたは第２のモードに入ることによって、ローカルユーザ３を案内するための視覚的表示を提供させるように構成される。第１のモードは、通常、視覚的インジケータユニット９０、９０ａ〜９０ｎのインジケータが第１の色の光を生成するように駆動される状態であり得るが、第２のモードは、通常、インジケータが第２の色の光を生成するように駆動される状態であり得る。
【００４６】
いくつかの実施形態では、視覚的インジケータユニット９０、９０ａ〜９０ｎは、特定の色が青または白である特定の色の光を生成することによって、ローカルユーザ３を案内するための視覚的表示を提供するように構成される。
【００４７】
図６は、一実施形態による、リモート命令７６の例示的な構成、またはメッセージフォーマットを示す。リモート命令７６は、ヘッダ部分７７およびコンテンツを伝達するためのペイロード部分７８を有する。ヘッダ部分７７は、リモート命令７６が意図されている個々のトランジットインジケータデバイス５０ａ〜５０ｎを指定するために使用され得る。個々のトランジットインジケータデバイス５０ａ〜５０ｎは、ヘッダ部分７７のそれぞれのトランジットアイデンティティ（図６のＴ＿ＩＤ１…Ｔ＿ＩＤｎ）によってアドレスされ得る。この目的のために、メモリ５３は、特定のトランジットインジケータデバイス５０のトランジットアイデンティティを格納することができる。これは、図４のトランジットＩＤ５４として見ることができる。
【００４８】
ペイロード部分７８は、リモート命令７６が意図されている個々のトランジットインジケータデバイス５０ａ〜５０ｎによって提供される表示を指定するデータ（図６の表示データ）を含み得る。データは、例えば、多色ＬＥＤインジケータ９２によって示される現在の色のコード、または単色ＬＥＤインジケータ９４のセット内の１つのＬＥＤに対応する色を指定することができる。コードは、例えば、次のようなバイナリコードであり得る。
【００４９】
【表１】
2021528690.tif 000003
【００５０】
追加的または代替的に、データは、多色ＬＥＤインジケータ９２または単色ＬＥＤインジケータ９４のセット内の個々のＬＥＤのフラッシュパターンを指定することができる。フラッシュパターンは、例えば、次のように指定され得る。
【００５１】
【表２】
2021528690.tif 000004
【００５２】
追加的または代替的に、データは、グラフィックディスプレイ９４によって示されるグラフィックシンボルまたはテキストを指定することができる。
【００５３】
いくつかの実施形態では、ペイロード部分７８は、すべての受信トランジットインジケータデバイス５０ａ〜５０ｎが指定された表示を提供しなければならないことを示すために、ブロードキャストフラグ（図６のＢＣ＿Ｆｌａｇ）を有し得る。
【００５４】
図５Ｂに見られるように、コンピュータリソース７０は、メモリ７２内のデータ構造７５に、異なるトランジットインジケータデバイス５０ａ〜５０ｎ（すなわち、異なるトランジット１ａ〜１ｎ用の）の現在の表示を格納することができる。データ構造７５は、許可されたユーザ４（または別の許可されたユーザ）が、ユーザガイダンスシステム２内のトランジットインジケータデバイス５０ａ〜５０ｎ／トランジット１ａ〜１ｎの１つに関するコマンド７４をコンピュータリソース７０に送信するたびに更新され得る。データ構造７５は、異なるトランジットインジケータデバイス５０ａ〜５０ｎまたはトランジット１ａ〜１ｎを表す１つまたは複数のテーブル列（または同様の構造）、およびそれぞれのトランジットインジケータデバイス５０ａ〜５０ｎ／トランジット１ａ〜１ｎの現在の表示を表す１つまたは複数のテーブル列（または同様の構造）を含み得る。現在の表示は、例えば、前述のカラーコードおよび／またはフラッシュコードによって表すことができる。
【００５５】
したがって、ユーザガイダンスシステム２のコンピュータリソース７０は、メモリ７２内のデータ構造７５に、ユーザガイダンスシステムのトランジットインジケータデバイス５０ａ〜５０ｎの現在の視覚的表示を表すデータを格納するように構成される。コンピュータリソース７０はさらに、コマンド７４によって定義されるように、１つまたは複数のトランジットインジケータデバイス５０ａ〜５０ｎによって提供される視覚的表示の変化を反映するようにデータ構造７５を更新するために、許可されたユーザ４から、または別の許可されたユーザから、（前述のように）１つまたは複数のトランジットインジケータデバイス５０ａ〜５０ｎを対象とするコマンド７４を受信するコンピュータリソース７０として構成される。
【００５６】
ユーザガイダンスシステム２のコンピュータリソース７０は、ユーザガイダンスシステムのコンピュータユーザ５からクエリを受信するようにさらに構成され、クエリは、ユーザガイダンスシステムの１つまたは複数のトランジットインジケータデバイス５０ａ〜５０ｎに関係する。コンピュータリソース７０は、メモリ７２内のデータ構造７５から、照会された１つまたは複数のトランジットインジケータデバイス５０ａ〜５０ｎの現在の視覚的表示を表すデータを検索し、したがって、検索したデータの全部または一部、または検索したデータの全部または一部から派生したものを含む応答情報でコンピュータユーザ５に応答する。
【００５７】
したがって、メモリ７２内のデータ構造７５を提供することにより、ユーザガイダンスシステム２の１人または複数のコンピュータユーザ５が、トランジットインジケータデバイス５０ａ〜５０ｎ／トランジット１ａ〜１ｎの現在の表示に関する情報を取得することが可能になる。そのまたは各コンピュータユーザ５は、図５Ｂに見られるように、通信ネットワーク６０、６０ｂを介してクエリを行うリモートユーザであり得る。この目的のために、コンピュータユーザ５は、コンピュータデバイス５ａ（例えば、パーソナルコンピュータ、ラップトップコンピュータ、ワークステーション、モバイル端末またはタブレットコンピュータなど）を使用して、データ構造７５の内容についてコンピュータリソース７０またはメモリ７２に照会することができる。
【００５８】
ここで、図４のトランジットインジケータデバイス５０の図を再度参照する。トランジットインジケータデバイス５０のコントローラ５１は、例えば、中央処理装置（ＣＰＵ）、デジタル信号プロセッサ（ＤＳＰ）、特定用途向け集積回路（ＡＳＩＣ）、フィールドプログラマブルゲートアレイ（ＦＰＧＡ）、または一般に、本明細書に記載の機能を実行することができる任意の電子回路として実施され得る。メモリ５３は、例えば、ＲＯＭ、ＲＡＭ、ＳＲＡＭ、ＤＲＡＭ、ＣＭＯＳ、ＦＬＡＳＨ、ＤＤＲまたはＳＤＲＡＭなどの電子メモリの一般的に知られている任意の技術で実施され得る。
【００５９】
通信インターフェース５６は、例えば、ＩＥＥＥ８０２．１１、ＩＥＥＥ８０２．１５、ＺｉｇＢｅｅ、ＷｉｒｅｌｅｓｓＨＡＲＴ、ＷｉＦｉ、ブルートゥース、ＷＣＤＭＡ、ＨＳＰＡ、ＧＳＭ、ＵＴＲＡＮ、ＵＭＴＳ、ＬＴＥ、ＬＴＥ＋、ＬＴＥ  Ａｄｖａｎｃｅｄ、Ｄ−ＡＭＰＳ、ＣＤＭＡ２０００、ＦＯＭＡ、ＴＤ−ＳＣＤＭＡ、ＡＳＩ、ＣＡＮｂｕｓ、ＰｒｏｆｉＢｕｓ、Ｍｏｄｂｕｓ、またはＬｏＲａまたは他の低周波ワイヤレスデータ通信技術として実施され得る。
【００６０】
図５Ｃに示される実施形態に見られるように、ローカルユーザ３は、トランジットインジケータデバイス５０と通信ネットワーク６０／コンピュータリソース７０との間の通信をブリッジまたはリレーするために使用されるモバイルデバイス３ａを有し得る。モバイルデバイス３ａは、例えば、モバイル端末、タブレットコンピュータまたはラップトップコンピュータであり得る。それは、前述のように、モバイルデバイス３ａが、ワイヤレスリンク６１を介してコンピュータリソース７０から通信ネットワーク６０へのリモート命令７６を受信することができるアプリケーションプログラム（アプリ）を有し得る。図５Ｃに見られるように、モバイルデバイス３ａのアプリケーションプログラムは、次に、リモート命令７６、または少なくともその意味論的意味を、別の無線リンク６２を介してトランジットインジケータデバイス５０に通信することができる。
【００６１】
無線リンク６１は、ＧＳＭ、ＵＭＴＳ、ＬＴＥ、ＬＴＥ＋、ＬＴＥ  Ａｄｖａｎｃｅｄ、Ｄ−ＡＭＰＳ、ＣＤＭＡ２０００、ＦＯＭＡまたはＴＤ−ＳＣＤＭＡ、または同様のものに準拠したモバイル通信リンクであり得る。無線リンク６２は、例えば、ブルートゥースまたはＮＦＣなどの短距離無線通信リンクであり得る。中間通信ブリッジまたはリレーとしてのモバイルデバイス３ａの使用のおかげで、無線リンク６２は長距離である必要はない。上記から理解できるように、無線リンク６２（および無線リンク６１）は、したがって、一般通信ネットワーク６０の延長であり、トランジットインジケータデバイス５０およびその通信インターフェース５６を一般通信ネットワーク６０などに接続可能にする。
【００６２】
トランジットインジケータデバイス５０、５０ａ〜５０ｎは、通常、トランジット１、１ａ〜１ｎまたはトランジット１、１ａ〜１ｎ内で適切な方法で提供される。例えば、それは、例えば、図１および図２Ｄに示されるウェッジ４０のようなトランジット中の圧縮ユニットなどのトランジット要素に取り付けられ得る。圧縮ユニットまたはウェッジ４０は、１つまたは複数の締め付け部材、開示された実施形態では２つの締め付け部材４１（図２Ｄを参照）によって作動されて、トランジットのケーブルの密封設置を達成することを想起されたい。これらの締め付け部材は、トランジットインジケータデバイス５０、５０ａ〜５０ｎをトランジット１、１ａ〜１ｎに固定するために使用することもできる。あるいは、ねじ、ボルトまたは接着剤などの適切な固定手段によって、例えば、図１および図２Ａに示されるフレーム１０などの別のトランジット要素に取り付けることができる。したがって、一般に、トランジットインジケータデバイス５０、５０ａ〜５０ｎは、トランジット１、１ａ〜１ｎのトランジット要素に取り付けるように適合されたハウジングを含み得る。
【００６３】
図１０Ａ〜図１０Ｃは、一実施形態によるトランジットインジケータデバイス４５０を示す。この実施形態では、トランジットインジケータデバイス４５０は、組み合わされたフレームおよび圧縮可能モジュール４００の形態でトランジット要素に取り付けるように適合されている。組み合わされたフレームおよび圧縮可能モジュール４００は、２つの半部４２２、４２４に分割された円筒形の本体部分を有する。弾性材料のいくつかの層４２６は、中心コア４２８の周りの本体４２２、４２４に同心円状に配置されている。コア４２８を取り外し、設置時に適切な数の層４２６を剥がすことにより、組み合わされたフレームおよび圧縮可能モジュール４００は、異なる直径のケーブル間で所与のケーブルを確実に係合するように適合され得る。
【００６４】
組み合わされたフレームおよび圧縮可能モジュール４００はまた、フレーム部分４１０を有する。フレーム部分４１０は、ボルトまたはねじなどの固定部材４１１を有する。図１０Ａおよび図１０Ｂに見られるように、トランジットインジケータデバイス４５０は、これらの固定部材の１つによって、組み合わされたフレームおよび圧縮可能モジュール４００に取り付けられている。図１０Ｃに見られるように、トランジットインジケータデバイス４５０は、固定部材４１１のうちの１つを受け入れるための開口部４５６を備えたハウジング４５４を有する。トランジットインジケータデバイス４５０はまた、前述のステータスインジケータユニット９０のように機能するステータスインジケータユニット４９０を有し、それは、例えば、多色ＬＥＤインジケータまたは異なる色のいくつかのＬＥＤインジケータ（それぞれ、前述の多色ＬＥＤインジケータ９２または一組のＬＥＤインジケータ９４のような）を含み得る。
【００６５】
組み合わされたフレームおよび圧縮可能モジュール４００は、トランジット１の唯一の単一のトランジット要素を構成し得、したがって、事実上、トランジット１をそれ自体構成することに留意されたい。
【００６６】
トランジット１、１ａ〜１ｎのトランジット要素に取り付ける代わりに、トランジットインジケータデバイス５０、５０ａ〜５０ｎは、トランジットに近い構造物に取り付けることができる。そのような構造物は、例えば、壁、ドア、ハッチまたは窓であり得る。
【００６７】
さらなる代替として、トランジットインジケータデバイス５０、５０ａ〜５０ｎは、トランジット１、１ａ〜１ｎ内に提供され得る。この目的のために、トランジットインジケータデバイス５０、５０ａ〜５０ｎは、トランジット１、１ａ〜１ｎの１つのタイプのトランジット要素と同じ一般的な形状、または前記１つのタイプのトランジット要素の構成要素２８の形状であり得る。例えば、代替の実施形態によるトランジットインジケータデバイス２５０を示す図８Ａ〜図８Ｃを参照されたい。この代替の実施形態では、トランジットインジケータデバイス２５０は、問題のトランジット１の１つのタイプのトランジット要素と同じ一般的な形状であるか、より具体的には、図８Ａ〜図８Ｃに示される実施形態では、圧縮可能モジュール２０（例えば、図１および図２Ａに示されるものなど）と同じ一般的な形状である。図８Ａ〜図８Ｃに見られるように、トランジットインジケータデバイス２５０は、圧縮可能モジュール２０と同じ一般的な形状のハウジング２５４を有する。トランジットインジケータデバイス２５０は、前述のステータスインジケータユニット９０のように機能するステータスインジケータユニット２９０を有し、それは、例えば、多色ＬＥＤインジケータまたは異なる色のいくつかのＬＥＤインジケータ（それぞれ、前述の多色ＬＥＤインジケータ９２または一組のＬＥＤインジケータ９４のような）を含み得る。
【００６８】
トランジットインジケータデバイス２５０は、トランジット１の圧縮可能モジュール２０の代わりに取り付けられるように適合されている。したがって、トランジットインジケータデバイス２５０は、トランジット要素を１つまたは複数のケーブル、パイプ、またはワイヤの密封された設置に組み立てる際に、トランジット１のトランジット要素の１つ、すなわち圧縮可能モジュール２０の１つを置き換えるか、または置き換える。
【００６９】
図９Ａ〜図９Ｃは、代替の実施形態によるトランジットインジケータデバイス３５０を示す。この代替の実施形態では、トランジットインジケータデバイス３５０は、問題のトランジット１のための前記１つのタイプのトランジット要素の構成要素と同じ一般的な形状であり、またはより具体的には、図９Ａ〜図９Ｃに示される実施形態のための、圧縮可能モジュール２０のコア２８と同じ一般的な形状（例えば、図１および図２Ａに示されるものなど）である。図９Ａ〜図９Ｃに見られるように、トランジットインジケータデバイス３５０は、圧縮可能モジュール２０のコア２８と同じ一般的な形状のハウジング３５４を有する。トランジットインジケータデバイス３５０は、前述のステータスインジケータユニット９０のように機能するステータスインジケータユニット３９０を有し、それは、例えば、多色ＬＥＤインジケータまたは異なる色のいくつかのＬＥＤインジケータ（それぞれ、前述の多色ＬＥＤインジケータ９２または一組のＬＥＤインジケータ９４のような）を含み得る。
【００７０】
トランジットインジケータデバイス３５０は、トランジット１の圧縮可能モジュール２０のコア２８の代わりに取り付けられるように適合されている。したがって、トランジットインジケータデバイス３５０は、トランジット要素を１つまたは複数のケーブル、パイプ、またはワイヤの密封された設置への組み立て中に、トランジット１のトランジット要素の１つの構成要素、すなわち圧縮可能モジュール２０のうちの１つのコア２８を置き換えるか、または替える。
【００７１】
ここで、図１１を参照する。これは、本発明によるケーブル、パイプ、またはワイヤトランジット１、１ａ〜１ｎ、４００でローカルユーザ３を案内する方法５００を示す概略フローチャート図である。
【００７２】
第１のステップ５１０において、コンピュータリソース７０は、許可されたユーザ４からコマンド７４を受信する。第２のステップ５２０において、コンピュータリソース７０は、応答して、トランジット１、１ａ〜１ｎ、４００にまたはその内部に位置するトランジットインジケータデバイス５０、５０ａ〜５０ｎ、２５０、３５０、４５０に、通信ネットワーク６０、６０ａを介してリモート命令７６を送信する。
【００７３】
第３のステップ５３０において、トランジットインジケータデバイス５０、５０ａ〜５０ｎ、２５０、３５０、４５０は、トランジット１、１ａ〜１ｎ、４００でローカルユーザ３を案内するための視覚的表示を提供する。
【００７４】
次に、図５Ａ〜図５Ｃのユーザガイダンスシステム２のいくつかの例示的な使用例を説明する。
【００７５】
１つの使用例では、リモート命令７６は、好ましくは、選択的な視覚的表示が特定のトランジット１ａで特定のトランジットインジケータデバイス５０ａによってのみ提供され、他の任意のトランジット１ｂ〜１ｎで他の任意のトランジットインジケータデバイス５０ｂ〜５０ｎによってではないように、特定のトランジット１ａで特定のトランジットインジケータデバイス５０ａによる選択的な視覚的表示を引き起こすように適合され得る。これは図５Ａで見ることができる。トランジット１ａでトランジットインジケータデバイス５０ａの視覚的インジケータユニット９０ａは光を示し（９０ａを参照）、他のトランジット１ｂ〜１ｎで他のトランジットインジケータデバイス５０ｂ〜５０ｎはオフになっている（９０ｂ〜９０ｎ参照）。そのような選択的な視覚的表示は、例えば、ローカルユーザ３が、設置、サービス、修理、保守、アップグレード、または検査のために正しい特定のトランジット１ａを見つけるのを容易にするために使用され得る。
【００７６】
別の使用例は、ローカルユーザ３がトランジットのグループを共通のものとして関連付けるのを支援することを含む。したがって、リモート命令７６は、トランジットのサブセット１ａ〜１ｂでトランジットインジケータデバイスのサブセット５０ａ〜５０ｂによる選択的な視覚的表示を引き起こすように適合され得る。これは、図５Ｂおよび図７Ａで確認できる。トランジットインジケータデバイスのサブセット５０ａ〜５０ｂによるそのような選択的な視覚的表示は、例えば、ローカルユーザ３が、トランジットのサブセット内のトランジット１ａ〜１ｂ間でケーブル８０、パイプまたはワイヤを配設８２する方法を知ることを容易にするために使用され得る。また、ローカルユーザ３が、設置、サービス、修理、保守、アップグレード、または検査を共通に必要とするトランジットの正しいグループを見つけやすくするためにも使用できる。そのようなサブセットまたはグループは、同じサイト６または異なるサイト６’でのトランジットを伴う場合がある（図５Ｂは、サイト６とは異なるそのような他のサイト６’の１つを示す）。したがって、リモート命令７６は、同じサイト６のトランジット１ａ、１ｂにまたはトランジット１ａ、１ｂ内に位置する個々のトランジットインジケータユニット５０ａ、５０ｂ、ならびにこの同じサイトより６とは異なる別のサイト６’のトランジット１ｎにまたはトランジット１ｎ内に位置する個々のトランジットインジケータユニット５０ｎにアドレス可能であり得る。
【００７７】
この目的のために、リモート命令７６は、リモート命令７６が対象とする可変数の個々のトランジットインジケータユニット５０ａ、５０ｂ、５０ｎを示すためのアドレス情報７７ａ、７７ｂ、７７ｎ（図６参照）を含み得る。リモート命令７６内のアドレス情報７７ａ、７７ｂ、７７ｎは、リモート命令７６が意図される個々のトランジットインジケータユニット５０ａ、５０ｂ、５０ｎごとのそれぞれのトランジットアイデンティティＴ＿ＩＤ１、Ｔ＿ＩＤ２、Ｔ＿ＩＤｎを含み得る。したがって、個々のトランジットインジケータデバイス５０内のコントローラ５１は、リモート命令７６を受信するときに、そのトランジットアイデンティティ５４（好ましくは前述のようにローカルメモリ５３に格納される）が、受信したリモート命令７６のアドレス情報７７ａ、７７ｂ、７７ｎに含まれるかどうか、すなわち、リモート命令７６のトランジットアイデンティティＴ＿ＩＤ１、Ｔ＿ＩＤ２、Ｔ＿ＩＤｎのいずれかと一致するかどうかをチェックするように構成され得る。そうである場合、コントローラ５１は、視覚的インジケータユニット９０に、ローカルユーザ３を案内するための視覚的表示を提供させる。
【００７８】
第３の使用例では、システム２のすべてのトランジット１ａ〜１ｎで同時に視覚的な表示を行う。この目的のために、リモート命令７６は、すべてのトランジット１ａ〜１ｎにおいてすべてのトランジットインジケータデバイス５０ａ〜５０ｎによる視覚的表示を引き起こすように適合され得る。これは図７Ｂで見ることができる。この理由の１つは、緊急時にアラートを提供すること、またはすべてのトランジットに突然注意を払う必要があることを示すことである。
【００７９】
この目的のために、リモート命令７６のブロードキャストフラグＢＣフラグは、リモート命令７６がすべての受信トランジットインジケータデバイス５０ａ〜５０ｎを対象としていることを示すために使用され得る。したがって、個々のトランジットインジケータデバイス５０内のコントローラ５１は、リモート命令７６を受信するときに、受信されたリモート命令７６のブロードキャストフラグＢＣ＿Ｆｌａｇが設定されているかどうかをチェックするように構成され得る。そうである場合、コントローラ５１は、視覚的インジケータユニット９０に、ローカルユーザ３を案内するための視覚的表示を提供させる。
【００８０】
有利なことに、ユーザガイダンスシステム２およびその構成要素（コンピュータリソース７０およびトランジットインジケータデバイス５０、５０ａ〜５０ｎ）は、上記の第１から第３の使用例のすべてをサポートするように構成される。したがって、リモート命令７６は、ユーザガイダンスシステム２の特定のトランジットで特定のトランジットインジケータデバイスによる選択的な視覚的表示を引き起こすことができ、ユーザガイダンスシステム２のトランジットインジケータデバイスのサブセットによる選択的な視覚的表示を引き起こすことができ（同じサイトまたは異なるサイトで）、および許可されたユーザ４によって提供されるコマンド７４に応じて、ユーザガイダンスシステム２内のすべてのトランジットインジケータデバイスによる視覚的表示を引き起こすことができる。コンピュータリソース７０は、許可されたユーザ４からコマンド７４を受信し、コマンド７４から、それが第１の使用例、第２の使用例、または第３の使用例に関係するかどうかを決定し、それに応じてリモート命令７６に、ユーザガイダンスシステム２の特定のトランジットインジケータデバイスによりまたはトランジットインジケータデバイスのサブセットにより選択的な視覚的表示を引き起こさせるか、またはユーザガイダンスシステム２のすべてのトランジットインジケータデバイスにより視覚的表示を引き起こさせるように構成される。
【００８１】
本発明は、その実施形態を参照して詳細に上記に記載された。しかしながら、当業者によって容易に理解されるように、他の実施形態は、添付の特許請求の範囲によって定義されるように、本発明の範囲内で等しく可能である。
【図１】
2021528690.tif 000005
【図２Ａ】
2021528690.tif 000006
【図２Ｂ】
2021528690.tif 000007
【図２Ｃ】
2021528690.tif 000008
【図２Ｄ】
2021528690.tif 000009
【図２Ｅ】
2021528690.tif 000010
【図３】
2021528690.tif 000011
【図４】
2021528690.tif 000012
【図５Ａ】
2021528690.tif 000013
【図５Ｂ】
2021528690.tif 000014
【図５Ｃ】
2021528690.tif 000015
【図６】
2021528690.tif 000016
【図７Ａ】
2021528690.tif 000017
【図７Ｂ】
2021528690.tif 000018
【図８Ａ】
2021528690.tif 000019
【図８Ｂ】
2021528690.tif 000020
【図８Ｃ】
2021528690.tif 000021
【図９Ａ】
2021528690.tif 000022
【図９Ｂ】
2021528690.tif 000023
【図９Ｃ】
2021528690.tif 000024
【図１０Ａ】
2021528690.tif 000025
【図１０Ｂ】
2021528690.tif 000026
【図１０Ｃ】
2021528690.tif 000027
【図１１】
2021528690.tif 000028
【国際調査報告】
2021528690.tif 000029
2021528690.tif 000030
2021528690.tif 000031
2021528690.tif 000032